(57)【要約】【課題】米飯加工食品を包装する米飯加工食品用包装材であって、米飯加工食品から容易に取り除くことができる。【解決手段】外シートは、米飯加工食品を包み込む外シート本体部と、該外シート本体部から外シートの前記一方の面側へ延出し且つ前記一方向に伸びる帯状延出部とを備えており、前記外シート本体部は、帯状延出部から前記他方向へ離間した位置で前記他方向の一端側と他端側とに分割可能に構成されており、米飯加工食品の形状に沿って米飯加工食品用包装材を変形させて米飯加工食品を米飯加工食品用包装材で包装した際に、前記帯状延出部が米飯加工食品の端縁と交差するように構成される。【選択図】図４
2019043557.tif 000002
【特許請求の範囲】
【請求項１】
米飯加工食品を包み込み可能なシート材を用いて形成された外シートを備え、該外シートは、一方向に対して交差する他方向に分割可能に構成されており、
外シートの一方の面が外側になるように米飯加工食品を包み込む米飯加工食品用包装材であって、
前記外シートは、米飯加工食品を包み込む外シート本体部と、該外シート本体部から外シートの前記一方の面側へ延出し且つ前記一方向に伸びる帯状延出部とを備えており、
前記外シート本体部は、帯状延出部から前記他方向へ離間した位置で前記他方向の一端側と他端側とに分割可能に構成されており、
米飯加工食品の形状に沿って米飯加工食品用包装材を変形させて米飯加工食品を米飯加工食品用包装材で包装した際に、前記帯状延出部が米飯加工食品の端縁と交差するように構成される米飯加工食品用包装材。
【請求項２】
前記外シートは、前記一方向に伸びる第一帯状部と、前記他方向の一端側において第一帯状部と並列して配置され且つ前記一方向に伸びる第二帯状部と、第一帯状部及び第二帯状部よりも細幅に形成され且つ前記一方向に伸びる第三帯状部とを備えており、
第二帯状部は、第一帯状部よりも外シートの他方の面側で、第一帯状部側の側端部が第一帯状部と重なるように配置されると共に、第一帯状部と重ならない非重なり領域を備えており、
第三帯状部は、第一帯状部と第二帯状部との重なる位置で第一帯状部と第二帯状部との間に配置されており、
第三帯状部と第一帯状部とが対向するように配置されることで前記帯状延出部が形成されると共に、第一帯状部における第三帯状部と対向しない領域と第二帯状部とによって外シート本体部が形成されており、
第一帯状部は、該帯状延出部から前記他方向に離間した位置で分割可能に構成される請求項１に記載の米飯加工食品用包装材。
【請求項３】
前記外シートは、前記他方向に間隔を空けて帯状延出部を少なくとも二つ備えており、隣り合う二つの帯状延出部の間で外シート本体部が前記他方向に分割可能に構成される請求項１に記載の米飯加工食品用包装材。
【請求項４】
前記第一帯状部、第二帯状部、及び、第三帯状部は、一枚のシート材から形成されており、
該シート材が外シートの他方の面になる側へ折り返されることで形成される第一折返端部であって前記一方向に伸びる第一折返端部を介して第一帯状部における第二帯状部側の一側端部と第三帯状部の幅方向の一側端部とが連結されており、
該シート材が外シートの一方の面になる側へ折り返されることで形成される第二折返端部であって前記一方向に伸びる第二折返端部を介して第二帯状部における第一帯状部側の一側端部と第三帯状部の幅方向の他側端部とが連結される請求項２に記載の米飯加工食品用包装材。
【請求項５】
前記帯状延出部は、第一帯状部及び第三帯状部における対向する各面の少なくとも一部同士が連結される請求項２又は４に記載の米飯加工食品用包装材。
【請求項６】
請求項１乃至５の何れか一項に記載の米飯加工食品用包装材を用いて米飯加工食品が包装されてなる米飯加工食品包装体であって、
前記帯状延出部が米飯加工食品の端縁と交差するように配置される米飯加工食品包装体。
【発明の詳細な説明】
【技術分野】
【０００１】
本発明は、米飯加工食品を包み込んで包装する米飯加工食品用包装材と、該米飯加工食品用包装材を用いて米飯加工食品が包装されてなる米飯加工食品包装体に関する。
【背景技術】
【０００２】
お握り等の米飯加工食品は、該米飯加工食品を包み込むことが可能なサイズの外シートを備える包装材によって包装された状態で、店頭販売されている。
【０００３】
前記外シートとしては、一方向に対して交差する他方向に分割可能に構成されたものが知られている。例えば、米飯加工食品を包み込むことが可能なサイズの外シート本体部と、前記一方向が長手となるように配置されるカットテープと、前記一方向における外シート本体部の一端部に形成された一対の切り込み部とを備え、該一対の切り込み部の間にカットテープの端部が位置する外シートが知られている。
【０００４】
これにより、一対の切り込み部の間に形成される摘み部を摘んで、前記一方向における外シートの他端部側へ引っ張ることで、各切り込み部の端部を起点に外シートがカットテープに沿って切断される。これにより、外シートは、他方向へ分割可能となっている（特許文献１参照）。
【０００５】
上記のような外シートを備える包装材を用いて米飯加工食品が包み込まれてなる包装体では、米飯加工食品を食する際に、前記摘み部を引っ張って上記のように外シートを切断し、外シートを他方向に分割する（第一ステップ）。そして、外シートの切断された部分を境とする包装材の一方側と他方側とを離間させるように引っ張ることで、米飯加工食品から包装材を取り除く（第二ステップ）。これによって、米飯加工食品を食することが可能となる。
【先行技術文献】
【特許文献】
【０００６】
【特許文献１】特開２００７−２４６１５２号公報
【発明の概要】
【発明が解決しようとする課題】
【０００７】
しかしながら、上記のような包装体は、第二ステップにおいて、包装材の一方側と他方側とを離間させるように引っ張る際に、包装材の一方側、又は、他方側を指などで摘みにくくなっており、米飯加工食品から包装材を取り除きにくくなっている。
【０００８】
そこで、本発明は、米飯加工食品を包装する米飯加工食品用包装材であって、米飯加工食品から容易に取り除くことができる米飯加工食品用包装材を提供することを課題とする。また、本発明は、斯かる米飯加工食品用包装材を用いて米飯加工食品が包装されてなる米飯加工食品包装体を提供することを課題とする。
【課題を解決するための手段】
【０００９】
本発明に係る米飯加工食品用包装材は、米飯加工食品を包み込み可能なシート材を用いて形成された外シートを備え、該外シートは、一方向に対して交差する他方向に分割可能に構成されており、外シートの一方の面が外側になるように米飯加工食品を包み込む米飯加工食品用包装材であって、前記外シートは、米飯加工食品を包み込む外シート本体部と、該外シート本体部から外シートの前記一方の面側へ延出し且つ前記一方向に伸びる帯状延出部とを備えており、前記外シート本体部は、帯状延出部から前記他方向へ離間した位置で前記他方向の一端側と他端側とに分割可能に構成されており、米飯加工食品の形状に沿って米飯加工食品用包装材を変形させて米飯加工食品を米飯加工食品用包装材で包装した際に、前記帯状延出部が米飯加工食品の端縁と交差するように構成される。
【００１０】
斯かる構成によれば、外シート本体部から外シートの前記一方の面側へ延出し且つ前記一方向に伸びる帯状延出部を備え、該帯状延出部は、米飯加工食品用包装材で米飯加工食品を包んだ際に、米飯加工食品の端縁と交差するように構成される。このため、帯状延出部は、米飯加工食品の端縁との交差位置の近傍で、外シート本体部から浮き上がった状態になる。これにより、帯状延出部を指などで摘みやすくなる。このため、帯状延出部から前記他方向へ離間した位置で外シート本体部を前記他方向の一端側と他端側とに分割した後、帯状延出部を摘んで、該帯状延出部を備える一端側を他端側から前記他方向に離間させるように引っ張りやすくなる。これにより、米飯加工食品用包装材を米飯加工食品から容易に取り除くことができる。
【００１１】
また、米飯加工食品用包装材で米飯加工食品を包装した状態で、電子レンジ等で加熱した場合であっても、帯状延出部を指などで摘むことができるため、米飯加工食品の熱が指などに伝わり難くなる。これにより、加熱後であっても米飯加工食品用包装材を米飯加工食品から容易に取り除くことができる。
【００１２】
前記外シートは、前記一方向に伸びる第一帯状部と、前記他方向の一端側において第一帯状部と並列して配置され且つ前記一方向に伸びる第二帯状部と、第一帯状部及び第二帯状部よりも細幅に形成され且つ前記一方向に伸びる第三帯状部とを備えており、第二帯状部は、第一帯状部よりも外シートの他方の面側で、第一帯状部側の側端部が第一帯状部と重なるように配置されると共に、第一帯状部と重ならない非重なり領域を備えており、第三帯状部は、第一帯状部と第二帯状部との重なる位置で第一帯状部と第二帯状部との間に配置されており、第三帯状部と第一帯状部とが対向するように配置されることで前記帯状延出部が形成されると共に、第一帯状部における第三帯状部と対向しない領域と第二帯状部とによって外シート本体部が形成されており、第一帯状部は、該帯状延出部から前記他方向に離間した位置で分割可能に構成されてもよい。
【００１３】
斯かる構成によれば、第三帯状部と第一帯状部とが対向するように配置されることで帯状延出部が形成されるため、帯状延出部のコシが増して外シート本体部から浮き上がり易くなる。このため、帯状延出部をより摘み易くすることができる。
【００１４】
前記外シートは、前記他方向に間隔を空けて帯状延出部を少なくとも二つ備えており、隣り合う二つの帯状延出部の間で外シート本体部が前記他方向に分割可能に構成されてもよい。
【００１５】
斯かる構成によれば、前記他方向に間隔を空けて帯状延出部を少なくとも二つ備えており、隣り合う二つの帯状延出部の間で外シート本体部が前記他方向に分割可能に構成されることで、外シート本体部を前記他方向に分割した後、各帯状延出部を摘んで前記他方向に離間する方向へ引っ張ることができるため、米飯加工食品用包装材を米飯加工食品からより容易に取り除くことが可能となる。
【００１６】
前記第一帯状部、第二帯状部、及び、第三帯状部は、一枚のシート材から形成されており、該シート材が外シートの他方の面になる側へ折り返されることで形成される第一折返端部であって前記一方向に伸びる第一折返端部を介して第一帯状部における第二帯状部側の一側端部と第三帯状部の幅方向の一側端部とが連結されており、該シート材が外シートの一方の面になる側へ折り返されることで形成される第二折返端部であって前記一方向に伸びる第二折返端部を介して第二帯状部における第一帯状部側の一側端部と第三帯状部の幅方向の他側端部とが連結されてもよい。
【００１７】
斯かる構成によれば、一枚のシート材を折り返して第一帯状部、第二帯状部、及び、第三帯状部が形成されるため、外シートの製造を容易に行うことが可能となる。また、第一折返端部を介して第一帯状部における第二帯状部側の一側端部と第三帯状部の幅方向の一側端部とが連結されるため、帯状延出部の延出方向の先端部に第一折返端部が位置することになる。これにより、帯状延出部のコシが増して外シート本体部から浮き上がり易くなるため、帯状延出部をより摘み易くすることができる。
【００１８】
前記帯状延出部は、第一帯状部及び第三帯状部における対向する各面の少なくとも一部同士が連結されてもよい。
【００１９】
斯かる構成によれば、帯状延出部は、第一帯状部及び第三帯状部における対向する各面の少なくとも一部同士が連結されることで、第一帯状部と第三帯状部とが分離しないため、帯状延出部のコシが増して外シート本体部から浮き上がり易くなる。これにより、帯状延出部をより摘み易くすることができる。
【００２０】
本発明に係る米飯加工食品包装体は、上記何れかの米飯加工食品用包装材を用いて米飯加工食品が包装されてなる米飯加工食品包装体であって、前記帯状延出部が米飯加工食品の端縁と交差するように配置される。
【発明の効果】
【００２１】
以上のように、本発明によれば、米飯加工食品用包装材を米飯加工食品から容易に取り除くことができる。
【図面の簡単な説明】
【００２２】
【図１】本発明の一実施形態に係る米飯加工食品用包装材の構成を示した斜視図。
【図２】図１のＩ−Ｉ断面図。
【図３】同実施形態に係る米飯加工食品用包装材で米飯加工食品を挟み込んだ状態を示す斜視図。
【図４】同実施形態に係る米飯加工食品用包装材で米飯加工食品を包装した状態（米飯加工食品包装体が形成された状態）を示した図。
【発明を実施するための形態】
【００２３】
以下に、本発明に係る米飯加工食品用包装材の実施形態について、図１〜４に基づいて説明する。なお、以下の説明では、一方向とは、各図の座標軸におけるｘ軸に沿った方向であり、前記一方向に交差する他方向とは、各図の座標軸におけるｙ軸に沿った方向である。
【００２４】
本実施形態に係る米飯加工食品用包装材（以下では、単に「包装材」とも記す）１は、図１に示すように、米飯加工食品（例えば、おにぎり等）と接する内シート２と、米飯加工食品を包み込んだ際に最も外側に配置される外シート３とを備える。内シート２及び外シート３は、米飯加工食品を包み込み可能な大きさに形成される。本実施形態では、内シート２及び外シート３は、略同一の形状（具体的には、一方向が長手となる長方形状）に形成される。
【００２５】
そして、内シート２及び外シート３は、米飯加工食品に巻く海苔等のシート状食品Ｘ１を間に介在させた状態で重ね合されると共に、シート状食品Ｘ１を囲むように外周端部同士が（例えば、断続的に）シールされる。これにより、包装材１が形成される。
【００２６】
内シート２は、一方向（以下、第一方向とも記す）に交差する他方向（以下、第二方向とも記す）に分割可能に構成される。具体的には、内シート２は、一対の内シート片２ａ，２ａから構成される。一対の内シート片２ａ，２ａは、第二方向に並列して配置されると共に、第二方向における内シート２の略中央部において端部同士が重なるように配置される。つまり、内シート２は、一対の内シート片２ａ，２ａの端部同士が重なり合った領域であって第一方向に伸びる領域を第二方向における略中央部に備える。そして、一対の内シート片２ａ，２ａが第二方向に分離可能であることで、内シート２が第二方向に分割可能になっている。
【００２７】
外シート３は、米飯加工食品を包み込み可能な大きさのシート材を用いて形成される。また、外シート３は、米飯加工食品を包み込む外シート本体部３ａと、第一方向に延びるように配置される一対のカットテープ３ｂ，３ｂとを備える。一対のカットテープ３ｂ，３ｂは、第二方向における外シート本体部３ａの略中央部において第二方向に間隔を空けて配置される。また、外シート３（具体的には、外シート本体部３ａ）は、第一方向の一端部に、第二方向に間隔を空けて形成された一対の切り込み３ｃ，３ｃを備える。そして、該一対の切り込み３ｃ，３ｃの間には、一対のカットテープ３ｂ，３ｂの端部が位置する。これにより、一対の切り込み３ｃ，３ｃの間に指などで摘むことが可能な摘み部３ｄが形成される。
【００２８】
また、外シート３は、外シート本体部３ａから外シート３の一方の面側へ延出し且つ第一方向に伸びる帯状延出部３ｅを備える。具体的には、外シート３は、第二方向に間隔を空けて帯状延出部３ｅを少なくとも二つ（本実施形態では、一対）備える。該一対の帯状延出部３ｅ，３ｅは、第二方向における外シート３の両端側へ向かって外シート本体部３ａから延出するように構成される。また、外シート３は、第二方向における一対の帯状延出部３ｅ，３ｅの間に、一対のカットテープ３ｂ，３ｂ及び一対の切り込み３ｃ，３ｃが位置する。
【００２９】
そして、外シート３は、第二方向に分割可能に構成される。具体的には、外シート本体部３ａが帯状延出部３ｅから第二方向へ離間した位置（具体的には、第二方向における一対の帯状延出部３ｅ，３ｅの間）で第二方向の一端側と他端側とに分割可能に構成される。より詳しくは、第一方向における外シート３の一端側から他端側へ向かって摘み部３ｄを引っ張ることで、外シート３（外シート本体部３ａ）は、一対の切り込み３ｃ，３ｃの端部を起点に一対のカットテープ３ｂ，３ｂの外側で一対のカットテープ３ｂ，３ｂに沿って他端側へ向かって切断される。これにより、外シート３が第二方向に分割される。
【００３０】
また、外シート３は、第一方向に伸びる第一帯状部３ｆと、第二方向の一端側及び他端側において第一帯状部３ｆと並列して配置され且つ第一方向に伸びる一対の第二帯状部３ｇ，３ｇと、第一帯状部３ｆ及び各第二帯状部３ｇよりも細幅に形成され且つ第一方向に伸びる一対の第三帯状部３ｈ，３ｈとを備える。
【００３１】
第一帯状部３ｆは、帯状延出部３ｅから第二方向に離間した位置で分割可能に構成される。具体的には、第一帯状部３ｆは、第二方向の略中央部に一対のカットテープ３ｂ，３ｂ、及び、一対の切り込み３ｃ，３ｃを備える。また第一帯状部３ｆは、図２に示すように、第二方向の両側端部３ｆ１，３ｆ１が一対の帯状延出部３ｅ，３ｅの一部を構成する。
【００３２】
各第二帯状部３ｇは、第一帯状部３ｆ側の一側端部３ｇ１が第一帯状部３ｆよりも外シート３の他方の面側に配置されると共に第一帯状部３ｆと重なるように配置される。また、各第二帯状部３ｇは、第一帯状部３ｆと重ならない非重なり領域３ｇ２を備える。
【００３３】
一対の第三帯状部３ｈ，３ｈは、第一帯状部３ｆと一対の第二帯状部３ｇ，３ｇとの重なる位置で第一帯状部３ｆと一対の第二帯状部３ｇ，３ｇとの間に配置される。具体的には、一対の第三帯状部３ｈ，３ｈは、第一帯状部３ｆよりも外シート３の他方の面側に配置されると共に、一対の第二帯状部３ｇ，３ｇよりも外シート３の一方の面側に配置される。また、一対の第三帯状部３ｈ，３ｈは、第二方向における第一帯状部３ｆの両側端部３ｆ１，３ｆ１と重なるように配置されると共に、一対の第二帯状部３ｇ，３ｇの第一帯状部３ｆ側の各側端部３ｇ１が各帯状延出部３ｅと重なるように配置される。
【００３４】
そして、第一帯状部３ｆ（具体的には、各側端部３ｆ１）と各第三帯状部３ｈとが対向するように配置されることで各帯状延出部３ｅが形成される。また、第一帯状部３ｆにおける第三帯状部３ｈと対向しない領域と第二帯状部３ｇとによって外シート本体部３ａが形成される。各帯状延出部３ｅは、第一帯状部３ｆ（側端部３ｆ１）及び第三帯状部３ｈにおける対向する各面の少なくとも一部同士（好ましくは、全域）が連結されることで形状が維持される。なお、第一帯状部３ｆ（一側端部３ｆ１）及び第三帯状部３ｈにおける対向する各面同士を連結する方法としては、特に限定されるものではなく、例えば、ヒートシールによって連結されてもよく、粘着剤や両面テープ等を用いて連結されてもよい。
【００３５】
また、外シート３は、シート材が外シート３の他方の面になる側へ折り返されることで形成される第一折返端部３ｉであって第一方向に伸びる第一折返端部３ｉを備える。そして、第二方向における第一帯状部３ｆの両側端部３ｆ１，３ｆ１のそれぞれと各第三帯状部３ｈの幅方向の一側端部３ｈ１とが第一折返端部３ｉを介して連結される。また、外シート３は、シート材が外シート３の一方の面になる側へ折り返されることで形成される第二折返端部３ｊであって第一方向に伸びる第二折返端部３ｊを備える。そして、各第二帯状部３ｇにおける第一帯状部３ｆ側の一側端部３ｇ１と第三帯状部の幅方向の他側端部３ｈ２とが第二折返端部３ｊを介して連結される。
【００３６】
つまり、外シート３（具体的には、第一帯状部３ｆ、一対の第二帯状部３ｇ，３ｇ、及び、一対の第三帯状部３ｈ，３ｈ）は、一枚のシート材から形成される。具体的には、シート材における第二方向に間隔を開けた２箇所の位置で、シート材における外シート３の他方の面になる側へ第一方向に沿ってシート材が折り返されることで第一帯状部３ｆと一対の第一折返端部３ｉ，３ｉとが形成される。また、第二方向における一対の第一折返端部３ｉ，３ｉよりもシート材の両端側の２箇所の位置で、シート材における外シート３の一方の面になる側へ第一方向に沿ってシート材が折り返されることで一対の第二帯状部３ｇ，３ｇ、一対の第三帯状部３ｈ，３ｈ、及び、一対の第二折返端部３ｊ、３ｊが形成される。
【００３７】
上記のように構成される包装材１を用いて米飯加工食品（例えば、一対の三角形状の対向面を備えるおにぎり）を包装する際には、外シート３の一方の面（帯状延出部３ｅが延出する側の面）が外側になるように米飯加工食品を包み込む。また、包装材１を用いて米飯加工食品（例えば、一対の三角形状の対向面を備えるおにぎり）を包装する際には、米飯加工食品の形状に沿って包装材１を変形させる。
【００３８】
具体的には、図３に示すように、包装材１の内シート２側に米飯加工食品Ｘ２を配置して、米飯加工食品Ｘ２を包むように包装材１を二つ折りにする。これにより、包装材１には、米飯加工食品Ｘ２を間に介在させた状態で対向するように配置される一対の対向部１ａ，１ｂが形成される。そして、一方の対向部１ａ側から他方の対向部１ｂ側へ向かって、包装材１における米飯加工食品Ｘ２と対峙しない領域を米飯加工食品Ｘ２の形状に沿って折り返すと共に、折り返した部分を他方の対向部１ｂに重ね合わせる。そして、折り返した部分と他方の対向部１ｂとを跨ぐように商品情報等が印字されたラベル（図示せず）を貼り付けることで、図５に示すように、包装材１で米飯加工食品Ｘ２が包装された状態（米飯加工食品包装体１０）が形成される。そして、米飯加工食品包装体１０が形成された状態では、一対の帯状延出部３ｅ，３ｅは、米飯加工食品Ｘ２の端縁と交差するように配置される。これにより、一対の帯状延出部３ｅ，３ｅは、米飯加工食品Ｘ２の端縁と交差した位置の近傍で、外シート本体部３ａから浮き上がった状態になる。
【００３９】
上記のような米飯加工食品包装体１０から米飯加工食品Ｘ２を取り出す際には、摘み部３ｄを一対のカットテープ３ｂ，３ｂに沿って引っ張ることで、外シート３が切断され、一対のカットテープ３ｂ，３ｂ間の領域が他の領域から切除される。これにより、外シート３は、第二方向に分割される。
【００４０】
そして、外シート３における切断された部分を境に、外シート３の一方の側が備える帯状延出部３ｅを摘んで他方の側から第二方向に離間させるように引っ張ることで、包装材１を米飯加工食品Ｘ２から取り除く。これにより、シート状食品Ｘ１が内シート２と外シート３との間から引き抜かれ、米飯加工食品Ｘ２とシート状食品Ｘ１とが一体となって取り出される。
【００４１】
以上のように、本実施形態に係る米飯加工食品用包装材１は、米飯加工食品Ｘ２から容易に取り除くことができる。また、本実施形態に係る米飯加工食品包装体１０は、米飯加工食品用包装材１を米飯加工食品Ｘ２から容易に取り除くことができる。
【００４２】
即ち、外シート本体部３ａから外シート３の前記一方の面側へ延出し且つ第一方向に伸びる帯状延出部３ｅを備え、該帯状延出部３ｅは、米飯加工食品用包装材１で米飯加工食品Ｘ２を包んだ際に、米飯加工食品Ｘ２の端縁と交差するように構成される。このため、帯状延出部３ｅは、米飯加工食品Ｘ２の端縁との交差位置の近傍で、外シート本体部３ａから浮き上がった状態になる。これにより、帯状延出部３ｅを指などで摘みやすくなる。このため、帯状延出部３ｅから第二方向へ離間した位置で外シート本体部３ａを第二方向の一端側と他端側とに分割した後、帯状延出部３ｅを摘んで、該帯状延出部３ｅを備える一端側を他端側から第二方向に離間させるように引っ張りやすくなる。これにより、米飯加工食品用包装材１を米飯加工食品Ｘ２から容易に取り除くことができる。
【００４３】
また、米飯加工食品用包装材１で米飯加工食品Ｘ２を包装した状態で、電子レンジ等で加熱した場合であっても、帯状延出部３ｅを指などで摘むことができるため、米飯加工食品の熱が指などに伝わり難くなる。これにより、加熱後であっても米飯加工食品用包装材１を米飯加工食品Ｘ２から容易に取り除くことができる。
【００４４】
また、第三帯状部３ｈと第一帯状部３ｆとが対向するように配置されることで帯状延出部３ｅが形成されるため、帯状延出部３ｅのコシが増して外シート本体部３ａから浮き上がり易くなる。このため、帯状延出部３ｅをより摘み易くすることができる。
【００４５】
また、第二方向に間隔を空けて帯状延出部３ｅを少なくとも二つ備えており、隣り合う二つの帯状延出部３ｅの間で外シート本体部３ａが第二方向に分割可能に構成されることで、外シート本体部３ａを第二方向に分割した後、各帯状延出部３ｅを摘んで第二方向に離間する方向へ引っ張ることができるため、米飯加工食品用包装材１を米飯加工食品Ｘ２からより容易に取り除くことが可能となる。
【００４６】
また、一枚のシート材を折り返して第一帯状部３ｆ、第二帯状部３ｇ、及び、第三帯状部３ｈが形成されるため、外シート３の製造を容易に行うことが可能となる。また、第一折返端部３ｉを介して第一帯状部３ｆにおける第二帯状部３ｇ側の一側端部３ｇ１と第三帯状部３ｈの幅方向の一側端部３ｈ１とが連結されるため、帯状延出部３ｅの延出方向の先端部に第一折返端部３ｉが位置することになる。これにより、帯状延出部３ｅのコシが増して外シート本体部３ａから浮き上がり易くなるため、帯状延出部３ｅをより摘み易くすることができる。
【００４７】
また、帯状延出部３ｅは、第一帯状部３ｆ及び第三帯状部３ｈにおける対向する各面の少なくとも一部同士が連結されることで、第一帯状部３ｆと第三帯状部３ｈとが分離しないため、帯状延出部３ｅのコシが増して外シート本体部３ａから浮き上がり易くなる。これにより、帯状延出部３ｅをより摘み易くすることができる。
【００４８】
なお、本発明に係る米飯加工食品用包装材、及び、米飯加工食品包装体は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４９】
例えば、上記実施形態では、一枚のシート材が折り返されることで、米飯加工食品用包装材１が形成されているが、これに限定されるものではない。例えば、外シート本体部３ａを形成する一のシート材と、帯状延出部３ｅを形成する他のシート材とを用い、外シート本体部３ａを形成する一のシート材の一方の面から帯状延出部３ｅを形成する他のシート材が延出するように、一枚のシート材に他のシート材が取り付けられることで、米飯加工食品用包装材が形成されてもよい。斯かる場合には、帯状延出部３ｅは、例えば、シート材が第一方向に沿って２つ折りにされたものであってもよく、平面状であってもよい。
【００５０】
また、上記実施形態では、外シート３は、一対の帯状延出部３ｅ，３ｅを備えるように構成されているが、少なくとも一つの帯状延出部３ｅを備える外シート３であれば、特に限定されるものではない。例えば、帯状延出部３ｅを一つのみ備える外シート３であってもよい。
【００５１】
また、上記実施形態では、第一折返端部３ｉを介して第一帯状部３ｆの両側端部３ｆ１，３ｆ１と第三帯状部３ｈの一側端部３ｈ１とが連結されており、第二折返端部３ｊを介して第二帯状部３ｇにおける第一帯状部３ｆ側の一側端部３ｇ１と第三帯状部３ｈの幅方向の他側端部３ｈ２とが連結されているが、これに限定されるものではない。例えば、第一帯状部３ｆ、第二帯状部３ｇ、及び、第三帯状部３ｈが別々のシート材から構成され、第一帯状部３ｆの両側端部３ｆ１，３ｆ１と第三帯状部３ｈの一側端部３ｈ１とがヒートシールや粘着剤等の連結手段で連結され、第二帯状部３ｇにおける第一帯状部３ｆ側の一側端部３ｇ１と第三帯状部３ｈの幅方向の他側端部３ｈ２とがヒートシールや粘着剤等の連結手段で連結されるように構成されてもよい。
【００５２】
また、上記各実施形態では、一対のカットテープ３ｂ，３ｂの外側（即ち、２箇所）で外シート３が切断されるように構成されているが、これに限定されるものではなく、例えば、第一方向に伸びる一つの切断予定線上で外シート３が切断されるように構成されてもよい。具体的には、外シート３が切り込み３ｃを一つのみ備える場合、該切り込み３ｃの端部を起点に外シート３を引き裂くようにして外シート３を切断することで、外シート３が第二方向に分割されてもよい。
【００５３】
また、上記実施形態では、外シート３は、一対のカットテープ３ｂ，３ｂを備えているが、これに限定されるものではなく、例えば、比較的幅の広いカットテープ３ｂを一つのみ備え、該一つのカットテープ３ｂの両側で外シート３が切断されるように構成されてもよい。
【００５４】
また、上記実施形態では、外シート３は、一対のカットテープ３ｂ，３ｂを備えているが、これに限定されるものではなく、例えば、外シート３がカットテープ３ｂを備えない（即ち、外シート本体部３ａのみから外シート３が構成される）ものであってよい。斯かる場合には、外シート本体部３ａは、切断方向性を有するフィルム（例えば、一軸延伸フィルム等）を用いて形成されることが好ましい。
【００５５】
また、上記実施形態では、外シート３は、第一方向の一端部に形成された一対の切り込み３ｃ，３ｃの各端部を起点に第一方向の他端部へ向かって切断が開始されるように構成されているが、これに限定されるものではなく、例えば、第一方向の一端部から離れた位置にコ字状の切り込みを設け、該切り込みの内側の領域を摘み部として引っ張ることで、外シート３が切断されるように構成されてもよい。
【００５６】
また、上記各実施形態では、包装材１によって包装される米飯加工食品として、三角形状の米飯加工食品Ｘ２が用いられているが、これに限定されるものではなく、他の形状（円筒状など）の米飯加工食品を用いることができる。
【００５７】
また、上記実施形態では、包装材１は、内シート２を備えるように構成されているが、これに限定されるものではなく、例えば、内シート２を備えずに構成されてもよい（即ち、外シート３のみから構成されてもよい）。
【符号の説明】
【００５８】
１…米飯加工食品用包装材、１ａ，１ｂ…対向部、２…内シート、２ａ，２ａ…内シート片、３…外シート、３ａ…外シート本体部、３ｂ…カットテープ、３ｃ…切り込み部、３ｄ…摘み部、３ｅ…帯状延出部、３ｆ…第一帯状部、３ｇ…第二帯状部、３ｈ…第三帯状部、３ｉ…第一折返端部、３ｊ…第二折返端部、１０…米飯加工食品包装体、Ｘ１…シート状食品、Ｘ２…米飯加工食品
【図１】
2019043557.tif 000003
【図２】
2019043557.tif 000004
【図３】
2019043557.tif 000005
【図４】
2019043557.tif 000006